(57)【特許請求の範囲】
【請求項１】
被施療部位に振動刺激を付与する運動体が突出した表面部を備えた本体と該本体内に前記運動体に振動を付与する振動発生源を備えたマッサージ装置において、
前記本体の裏面の複数箇所に脚部を取り付けるための座面およびボスが配設され、
該ボスが挿入される前記脚部の穴部が、前記本体の角度の変化に対応する前記ボスの角度の変化を可能にするように構成され、
前記ボスおよび前記脚部の穴部が、回転を阻止する複数の平坦面を備えた回転阻止部を備えている
ことを特徴とするマッサージ装置。
【請求項２】
請求項１において、
前記穴部が、前記ボスの角度の変化に対応した前記本体の前後方向に傾斜した内壁を備えている
ことを特徴とするマッサージ装置。
【請求項３】
請求項１において、
前記ボスが、前記本体の角度の変化に対応する前記本体の前後方向に傾斜した外側壁を備えている
ことを特徴とするマッサージ装置。
【請求項４】
請求項２において、
前記ボスのベース部の下端面と前記脚部の上端面とが、前記本体の角度の変化に対応して前記ボスの角度が変化しても面接触するように構成されている
ことを特徴とするマッサージ装置。
【請求項５】
請求項４において、
前記ボスのベース部の下端面と前記脚部の上端面とが、前記本体の角度の変化に対応して前記ボスの角度が変化した時面接触する円弧面を備えている
ことを特徴とするマッサージ装置。
【請求項６】
被施療部位に振動刺激を付与する運動体が突出した表面部を備えた本体と該本体内に前記運動体に振動を付与する振動発生源を備えたマッサージ装置において、
前記本体の裏面の複数箇所に脚部を取り付けるための座面およびボスが配設され、
該ボスが挿入される前記脚部の穴部が、前記本体の角度の変化に対応する前記ボスの角度の変化を可能にするように構成され、
前記ボスのベース部の下端面と前記脚部の上端面とが、前記本体の角度の変化に対応して前記ボスの角度が変化した時面接触する複数の平坦面を備えている
ことを特徴とするマッサージ装置。
【請求項７】
請求項６において、
前記穴部が、前記ボスの角度の変化に対応した前記本体の前後方向に傾斜した内壁を備えている
ことを特徴とするマッサージ装置。
【請求項８】
請求項７において、
前記ボスのベース部の下端面と前記脚部の上端面とが、前記本体の角度の変化に対応して前記ボスの角度が変化しても面接触するように構成されている
ことを特徴とするマッサージ装置。
【発明の詳細な説明】
【０００１】
【発明の属する技術分野】
本発明は、被施療部位に振動刺激を付与する運動体を表面部に備えた本体と該本体内に前記運動体に振動を付与する振動発生源を備えるとともに、前記本体の裏面の複数箇所に配設される脚部を取り付けるための座面に形成されたボスが挿入される前記脚部の穴部が、前記本体の角度の変化に対応する前記ボスの角度の変化を可能にするように構成されているマッサージ装置に関するものである。
【０００２】
【従来の技術】
従来のマッサージ装置においては、被施療部位に振動刺激を付与する運動体が突出した表面部を備えた本体と該本体内に前記運動体に振動を付与する振動発生源を備えた本体と床面との間にゴム製の脚部を介挿してビスによって固着するものであった。
【０００３】
【発明が解決しようとする課題】
上記従来のマッサージ装置は、前記本体と床面との間にゴム製の脚部を介挿してビスによって固着するものであったので、前記脚部の一方の高さを変えると他方の脚部が傾き、床面との面接触が確保出来ないという問題があった。
【０００４】
また上記問題を解決するために、前記本体全体と前記床面との間に傾斜したスペーサとしての台を挿入することが考えられるが、前記本体全体の全面をカバーするものであるため大きなコストがかかるという問題があった。
【０００５】
そこで本発明者は、被施療部位に振動刺激を付与する運動体を表面部に備えた本体と該本体内に前記運動体に振動を付与する振動発生源を備えたマッサージ装置において、前記本体と床面との間に介挿される脚部に角度調整機能を持たせることに着目し、すなわち前記脚部を揺動自在にするものであって、前記本体の裏面の複数箇所に配設される脚部を取り付けるための座面に形成されたボスが挿入される前記脚部の穴部が、前記本体の角度の変化に対応する前記ボスの角度の変化を可能にするという本発明の技術的思想に着眼し、更に研究開発を重ねた結果、前記本体の角度が変化しても前記脚部と床面との面接触を確保するとともに、前記脚部毎のアタッチメント接続を可能にしてコストを低減するという目的を達成する本発明に到達した。
【０００６】
【課題を解決するための手段】
本発明（請求項１に記載の第１発明）のマッサージ装置は、
被施療部位に振動刺激を付与する運動体が突出した表面部を備えた本体と該本体内に前記運動体に振動を付与する振動発生源を備えたマッサージ装置において、
前記本体の裏面の複数箇所に脚部を取り付けるための座面およびボスが配設され、
該ボスが挿入される前記脚部の穴部が、前記本体の角度の変化に対応する前記ボスの角度の変化を可能にするように構成され、
前記ボスおよび前記脚部の穴部が、回転を阻止する複数の平坦面を備えた回転阻止部を備えている
ものである。
【０００７】
本発明（請求項２に記載の第２発明）のマッサージ装置は、
前記第１発明において、
前記穴部が、前記ボスの角度の変化に対応した前記本体の前後方向に傾斜した内壁を備えている
ものである。
【０００８】
本発明（請求項３に記載の第３発明）のマッサージ装置は、
前記第１発明において、
前記ボスが、前記本体の角度の変化に対応する前記本体の前後方向に傾斜した外側壁を備えている
ものである。
【０００９】
本発明（請求項４に記載の第４発明）のマッサージ装置は、
前記第２発明において、
前記ボスのベース部の下端面と前記脚部の上端面とが、前記本体の角度の変化に対応して前記ボスの角度が変化しても面接触するように構成されている
ものである。
【００１０】
本発明（請求項５に記載の第５発明）のマッサージ装置は、
前記第４発明において、
前記ボスのベース部の下端面と前記脚部の上端面とが、前記本体の角度の変化に対応して前記ボスの角度が変化した時面接触する円弧面を備えている
ものである。
【００１１】
本発明（請求項６に記載の第６発明）のマッサージ装置は、
被施療部位に振動刺激を付与する運動体が突出した表面部を備えた本体と該本体内に前記運動体に振動を付与する振動発生源を備えたマッサージ装置において、
前記本体の裏面の複数箇所に脚部を取り付けるための座面およびボスが配設され、
該ボスが挿入される前記脚部の穴部が、前記本体の角度の変化に対応する前記ボスの角度の変化を可能にするように構成され、
前記ボスのベース部の下端面と前記脚部の上端面とが、前記本体の角度の変化に対応して前記ボスの角度が変化した時面接触する複数の平坦面を備えている
ものである。
【００１２】
本発明（請求項７に記載の第７発明）のマッサージ装置は、
前記第６発明において、
前記穴部が、前記ボスの角度の変化に対応した前記本体の前後方向に傾斜した内壁を備えている
ものである。
【００１３】
本発明（請求項８に記載の第８発明）のマッサージ装置は、
前記第７発明において、
前記ボスのベース部の下端面と前記脚部の上端面とが、前記本体の角度の変化に対応して前記ボスの角度が変化しても面接触するように構成されている
ものである。
【００１５】
【発明の作用および効果】
上記構成より成る第１発明のマッサージ装置は、被施療部位に振動刺激を付与する運動体が突出した表面部を備えた本体と該本体内に前記運動体に振動を付与する振動発生源を備えたマッサージ装置において、前記本体の裏面の複数箇所に配設される脚部を取り付けるための座面に形成されたボスが挿入される前記脚部の穴部が、前記本体の角度の変化に対応する前記ボスの角度の変化を可能にするように前記脚部５の揺動を可能にするので、前記本体の角度が変化しても前記脚部と床面との面接触を確保するとともに、脚部毎のアタッチメント接続を可能にしてコストを低減するという効果を奏する。
上記構成より成る第１発明のマッサージ装置は、前記ボスおよび前記脚部の穴部が、回転を阻止する複数の平坦面を備えた回転阻止部を備えているので、前記ボスの回転が阻止されるため、前記本体の角度が変化しても前記ボスが長期に亘り前記脚部の穴部の内壁に干渉しないことにより、前記脚部と床面との面接触を確保するという効果を奏する。
【００１６】
上記構成より成る第２発明のマッサージ装置は、前記第１発明において、前記穴部が、前記ボスの角度の変化に対応した前記本体の前後方向に傾斜した内壁を備えているので、前記本体の角度が変化しても前記ボスが前記脚部の穴部の内壁に干渉しないため、前記脚部５の揺動を可能にすることにより前記脚部と床面との面接触を確保するとともに、脚部毎のアタッチメント接続を可能にしてコストを低減するという効果を奏する。
【００１７】
上記構成より成る第３発明のマッサージ装置は、前記第１発明において、前記ボスが、前記本体の角度の変化に対応する前記本体の前後方向に傾斜した外側壁を備えているので、前記本体の角度が変化しても前記ボスの傾斜外周壁が前記脚部の穴部の内壁に干渉しないため、前記脚部５の揺動を可能にすることにより前記脚部と床面との面接触を確保するとともに、脚部毎のアタッチメント接続を可能にしてコストを低減するという効果を奏する。
【００１８】
上記構成より成る第４発明のマッサージ装置は、前記第２発明において、前記ボスのベース部の下端面と前記脚部の上端面とが、前記本体の角度の変化に対応して前記ボスの角度が変化しても面接触するように構成されているので、前記本体の角度が変化しても前記本体および前記脚部が面接触することにより、該脚部と床面との面接触を確保するという効果を奏する。
【００１９】
上記構成より成る第５発明のマッサージ装置は、前記第４発明において、前記ボスのベース部の下端面と前記脚部の上端面とが、前記本体の角度の変化に対応して前記ボスの角度が変化した時面接触する円弧面を備えているので、前記本体の角度が変化しても前記本体および前記脚部が前記円弧面を介して面接触することにより、前記脚部と床面との角度に依存することなく一様な面接触を確保するという効果を奏する。
【００２０】
上記構成より成る第６発明のマッサージ装置は、被施療部位に振動刺激を付与する運動体が突出した表面部を備えた本体と該本体内に前記運動体に振動を付与する振動発生源を備えたマッサージ装置において、前記本体の裏面の複数箇所に配設される脚部を取り付けるための座面に形成されたボスが挿入される前記脚部の穴部が、前記本体の角度の変化に対応する前記ボスの角度の変化を可能にするように前記脚部５の揺動を可能にするので、前記本体の角度が変化しても前記脚部と床面との面接触を確保するとともに、脚部毎のアタッチメント接続を可能にしてコストを低減するという効果を奏する。
上記構成より成る第６発明のマッサージ装置は、前記ボスのベース部の下端面と前記脚部の上端面とが、前記本体の角度の変化に対応して前記ボスの角度が変化した時面接触する複数の平坦面を備えているので、前記本体の角度が変化しても前記本体および前記脚部が前記平坦面を介して面接触することにより、前記脚部と床面との面接触を確保するという効果を奏する。
【００２１】
上記構成より成る第７発明のマッサージ装置は、前記第６発明において、前記穴部が、前記ボスの角度の変化に対応した前記本体の前後方向に傾斜した内壁を備えているので、前記本体の角度が変化しても前記ボスが前記脚部の穴部の内壁に干渉しないため、前記脚部５の揺動を可能にすることにより前記脚部と床面との面接触を確保するとともに、脚部毎のアタッチメント接続を可能にしてコストを低減するという効果を奏する。
【００２２】
上記構成より成る第８発明のマッサージ装置は、前記第７発明において、前記ボスのベース部の下端面と前記脚部の上端面とが、前記本体の角度の変化に対応して前記ボスの角度が変化しても面接触するように構成されているので、前記本体の角度が変化しても前記本体および前記脚部が面接触することにより、該脚部と床面との面接触を確保するという効果を奏する。
【００２４】
【発明の実施の形態】
以下本発明の実施の形態につき、図面を用いて説明する。
【００２５】
（第１実施形態）
本第１実施形態のマッサージ装置は、図１ないし図６に示されるように被施療部位に振動刺激を付与する運動体が突出した表面部１１を備えた本体１０と該本体内に前記運動体に振動を付与する振動発生源を備えたマッサージ装置１において、前記本体１０の裏面１２の複数箇所に脚部５を取り付けるための凹部１２１の座面１２２およびボス形成部１２４が配設され、該ボス部１２４が挿入される前記脚部５の穴部５１が、前記本体１０の角度の変化に対応する前記ボス形成部１２４の角度の変化を可能にするように構成されているものである。
【００２６】
前記マッサージ装置１を構成する本体１０は、図１、図２および図５に示されるように被施療部位である両足裏の土踏まずの部位に対して振動刺激を付与する運動体を構成する膨出部が突出した傾斜面より成る上面たる表面部１１と、４隅に脚部５が突設された平坦な下面たる裏面１２と、前記表面部１１と裏面１２とを接続する側面１３とから成る。
【００２７】
前記本体１０内には、前記表面部１１の左右位置に穿設された多数の貫通穴１４より突出した左右一対の複数の突起１５より成る前記膨出部を備えた前記運動体が支持手段によって弾性的に支持されるとともに、前記運動体に上下振動を付与するモータおよびアンバランサーより成る振動発生源（図示せず）が配設されている。
【００２８】
また前記表面部の左右位置に多数の前記貫通穴１４が穿設され、前記左右一対の複数の前記突起１５が突出する部位に電極１６が配設され、低周波発生回路（図示せず）から通電がなされたときに前記被施療部位に対して、低周波による通電刺激を付与するように構成されている。
【００２９】
図１ないし図４に示されるように前記本体１０の前記裏面１２の４隅に一体的に形成された凹部１２１に平坦な座面１２２が形成され、該座面１２２の中央部に大径のベース部１２３と抜け止め用のワッシャＷおよびビスＢを取り付ける位置決め用リブ１２５を備えた円筒状のボス形成部１２４が斜め下方に突出形成される。
【００３０】
前記脚部５は、ＥＰＤＭ、ＮＢＲその他の硬度４０°から７０°までのゴム製の略円錐台状の中空部材５０によって構成され、内周壁の上部には斜めに突出形成された前記ボス形成部１２４が介挿されるＶ字状の縦断面形状の充分大きな口径の長穴の鍵穴形状の穴部５１が形成されるとともに、内周壁の下部には外周壁と同軸的な大径の円形穴部５２が形成されている。
【００３１】
すなわち前記穴部５１は、前記本体の角度の変化に対応する前記ボス形成部１２４の角度の変化に対応して前記本体１０の前後方向に傾斜した内壁を備えており、図３から明らかなように本体１０が３°傾斜した時、前記ボス形成部１２４の外側壁が前記穴部５１の略中央に位置して前記穴部５１の内壁に当接することはなく、図４から明らかなように本体１０が１０°傾斜した時、前記ボス形成部１２４の外側壁が前記穴部５１に当接するまで揺動するように構成されている。
【００３２】
前記本体１０の前記座面１２２に突出形成されたベース部１２３の下端面１２６に、図７に示されるように前記ベース部１２３の下端面１２６と前記脚部５の上端面とが、前記本体の角度の変化に対応して前記ボスの角度が変化した時面接触する２個の平坦面が形成され、略Ｖ字状の下端面が形成されている。
【００３３】
前記弾性部６は、図６に示されるように前記本体１０に当接する前記脚部５の上部に該脚部を構成する材料と同一の材料によって一体的に形成されるとともに、上方に突出形成された筒状の薄肉部６０によって構成され、前記座面の傾斜に対応した傾斜上端面６１が形成されている。
【００３４】
前記筒状の薄肉部６０の内側壁に、一定角度毎に軸方向に延在する複数の溝６２が形成され、前記弾性部６のダンピング特性をチューニングするとともに、中央部が外方に突出した縦断面くの字形状に形成され前記本体１０から荷重が作用した時に外方に突出する変形形状を採り得るように構成されているものである。
【００３５】
前記筒状の薄肉部６０より成る前記弾性部６の前記傾斜上端面６１を傾斜した前記座面１２２に当接させて、前記長円形の穴部５１と前記大径の円形穴部５２の間の肩部５３に抜け止め用のワッシャおよびビスを螺着して、前記脚部５を前記本体１０に係止する。
【００３６】
前記ベース部１２３の下端面１２６と前記脚部５の上端面５４とによってストッパー部が構成され、前記脚部５に一定以上の荷重が作用して前記弾性部６にその弾性変形範囲内の一定量以上の変形が生じたときに、前記座面１２２の前記ベース部１２３の下端面１２６と前記脚部５の上端面５４とが当接して、それ以上の変形を阻止するように構成されている。
【００３７】
前記脚部５は、図１および図２に示されるようにその環状の下端面には前記床面のグリップ性能を高め柔らかくするために深さの異なる３条の環状溝が形成されている。
【００３８】
上記構成より成る第１実施形態のマッサージ装置は、前記リモコン２による利用者の設定に従って、前記本体１０の前記表面部１１に突出した前記複数の突起１５によって被施療部位である両足裏の土踏まずの部位に振動刺激を付与するとともに、前記電極１６によって低周波発生回路（図示せず）からの通電により前記被施療部位に対して、低周波による通電刺激を付与するものである。
【００３９】
また本第１実施形態のマッサージ装置においては、前記本体１０の前記裏面１２の複数箇所に配設される前記脚部５を取り付けるための座面１２２に形成された前記ボス形成部１２４が挿入される前記脚部５の前記上部の穴部５１が、上述したように傾斜して形成されているので、前記本体の角度の変化に対応する前記ボスの角度の変化を可能にして、前記脚部５を拘束する事無く揺動させるため、前記床面１００と面接触となる。
【００４０】
上記作用を奏する第１実施形態のマッサージ装置は、前記脚部５の前記上部の穴部５１が、上述したように傾斜して形成されているので、前記本体１０の角度の変化に対応する前記ボス形成部１２４の角度の変化を可能にするため、前記本体１０の角度変化に対応して前記脚部５の角度変化を拘束する事無く前記脚部５が揺動するため、前記脚部５と床面１００との面接触を確保するという効果を奏する。
【００４１】
また第１実施形態のマッサージ装置は、上述したように各脚部５毎に角度調整機能を持たせたため、図２に示されるようにユーザーの身長、体格その他好みに応じてアタッチメントＡが前方側の前記脚部５に装着され前記本体１０の角度が調整されても、図４に示されるように前記本体１０の角度調整に応じて前記脚部５がその分だけ揺動することを可能にするため、前記脚部５毎のアタッチメントＡの接続を可能にして、固定型の従来に比べてコストを低減するという効果を奏する。
【００４２】
さらに第１実施形態のマッサージ装置は、前記穴部５１が、前記ボス形成部１２４の角度の変化に対応した前記本体１０の前後方向に傾斜した内壁を備えているので、前記本体１０の角度が変化しても前記ボス形成部１２４が前記脚部５の前記穴部５１の内壁に干渉しないため、前記脚部５と前記床面１００との面接触を確保するという効果を奏する。
【００４３】
また第１実施形態のマッサージ装置は、前記ボス形成部１２４の前記下端面１２６と前記脚部５の上端面５４とが、前記本体１０の角度の変化に対応して前記ボス部１２４の角度が変化した時面接触する２個の平坦面を備えているので、前記本体１０の角度が変化しても前記本体１０および前記脚部５が前記平坦面１２６を介して面接触することにより、前記脚部と床面との面接触を確保して、荷重を面で受けられるようにするという効果を奏する。
【００４４】
さらに第１実施形態のマッサージ装置は、前記ボス形成部１２４および前記脚部５の前記穴部５１が、回転を阻止する複数の平坦面を備えた回転阻止部１２５を備えているので、前記ボス形成部１２４の回転が阻止されるため、前記本体１０の角度が変化しても前記ボス形成部１２４が長期に亘り前記脚部５の前記穴部５１の内壁に干渉しないことにより、前記脚部５と前記床面１００との面接触を確保するという効果を奏する。
【００４５】
（第２実施形態）
本第２実施形態のマッサージ装置は、前記第１実施形態において前記脚部５の前記穴部５１に設けた傾斜壁を、図８および図９に示されるように前記ボス形成部１２４の外周壁を傾斜壁にする点が相違点であり、以下相違点を中心に説明する。
【００４６】
すなわち前記ボス形成部１２４が、図８および図９に示されるように前記本体の角度の変化に対応する前記本体の前後方向に傾斜した外側壁を備えているので、前記アタッチメント（図示せず）を装着することにより前記本体１０の角度が変化しても前記ボス形成部の傾斜外周壁が前記脚部の穴部の内壁に干渉しない。
【００４７】
すなわち前記ボス形成部１２４は、前記本体１０の角度の変化に対応する前記ボス形成部１２４の角度の変化に対応して前記本体１０の前後方向に傾斜した外周壁を備えており、図８から明らかなように本体１０が約３°傾斜した時、前記ボス形成部１２４の傾斜した外側壁が前記穴部５１の略中央に位置して前記穴部５１の内壁に当接することはなく、図９から明らかなように本体１０が約１０°傾斜した時、前記ボス形成部１２４の傾斜した外側壁が前記穴部５１の前側の内壁に軽く当接するまで揺動を可能にする。
【００４８】
上記作用を奏する第２実施形態のマッサージ装置は、前記ボス形成部１２４が、前記本体１０の角度の変化に対応する前記本体１０の前後方向に傾斜した外側壁を備えているので、前記本体１０の角度が変化しても前記ボス形成部１２４の傾斜外周壁が前記脚部５の前記穴部５１の前後方向の内壁に干渉しないため、前記脚部５の揺動を拘束しないことより該脚部５と前記床面１００との面接触を確保するという効果を奏する。
【００４９】
また第２実施形態のマッサージ装置は、上述したように各脚部５毎に角度調整機能を持たせたため、図２に示されるようにユーザーの身長、体格その他好みに応じてアタッチメントＡが前方側の前記脚部５に装着され前記本体１０の角度が調整されても、図９に示されるように前記本体１０の角度調整に応じて前記脚部５がその分だけ揺動することを可能にするため、前記脚部５毎のアタッチメントＡの接続を可能にして、固定型の従来に比べてコストを低減するという効果を奏する。
【００５０】
（第３実施形態）
本第３実施形態のマッサージ装置は、前記第１実施形態においてベース１２３の下端面と前記脚部の上端面に形成した２個の平坦面を、図１０および図１１に示されるように円弧面にする点が相違点であり、以下相違点を中心に説明する。
【００５１】
すなわち前記ベース部１２３の下端面１２６と前記脚部５の上端面５４とが、前記本体１０の角度の変化に対応して前記ボス１２４の角度が変化した時面接触する所定の曲率を備えた円弧面を備えているものである。
【００５２】
上記構成より成る第３実施形態のマッサージ装置は、前記前記ベース部１２３の下端面１２６と前記脚部５の前記上端面５４とが、前記本体１０の角度の変化に対応して前記ボスの角度が変化しても面接触するように構成されているので、前記本体１０の角度が変化しても前記本体１０および前記脚部５が面接触することにより、該脚部５と前記床面１００との面接触を確保するという効果を奏する。
【００５３】
すなわち第３実施形態のマッサージ装置は、前記ベース部１２３の前記下端面１２６と前記脚部５の前記上端面５４とが、前記本体１０の角度の変化に対応して前記ベース部１２３の角度が変化した時面接触する円弧面を備えているので、前記本体１０の角度が変化しても前記本体１０および前記脚部５が前記円弧面１２６を介して面接触することにより、前記脚部５と前記床面１００との角度に依存することなく一様な面接触を確保するという効果を奏する。
【００５４】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【図面の簡単な説明】
【図１】  本発明の第１実施形態のマッサージ装置を示す部分欠截側面図である。
【図２】  本第１実施形態のマッサージ装置のアタッチメントを装着した状態を示す部分欠截側面図である。
【図３】  本第１実施形態の脚部を示す部分拡大断面図である。
【図４】  本第１実施形態の脚部が揺動した状態を示す部分拡大断面図である。
【図５】  本第１実施形態のマッサージ装置の全体を示す斜視図である。
【図６】  本第１実施形態の脚部を示す斜視図、断面図および底面図である。
【図７】  本第１実施形態のベース部およびボス形成部を示す部分拡大図である。
【図８】  本発明の第２実施形態のマッサージ装置の脚部を示す部分拡大断面図である。
【図９】  本第２実施形態のマッサージ装置の脚部が揺動した状態を示す部分拡大断面図である。
【図１０】  本発明の第３実施形態のマッサージ装置の脚部を示す部分拡大断面図である。
【図１１】  本第３実施形態のマッサージ装置のベース部およびボス形成部を示す部分拡大図である。
【符号の説明】
１  マッサージ装置
５  脚部
１０  本体
１１  表面部
１２  裏面
５１  穴部
１００  床面
１２１  凹部
１２２  座面
１２４  ボス形成部
【図１】
0003911352.tif 000002
【図２】
0003911352.tif 000003
【図３】
0003911352.tif 000004
【図４】
0003911352.tif 000005
【図５】
0003911352.tif 000006
【図６】
0003911352.tif 000007
【図７】
0003911352.tif 000008
【図１１】
0003911352.tif 000009
【図８】
0003911352.tif 000010
【図９】
0003911352.tif 000011
【図１０】
0003911352.tif 000012